(57)【要約】【課題】ハンドルと本体とを回動可能に接続している部分における防水性を向上させること。【解決手段】扉に固定される本体１１と、頭部が第一軸１４により本体１１に回動可能に接続されるハンドル１２と、ハンドル１２を本体１１に対して起伏することにより解錠状態と鎖錠状態が切り替えられるフック１３を備えた扉鎖錠装置１であって、正面視において、第一軸１４が本体１１により覆われている構成とする。【選択図】図９
2018159173.tif 000002
【特許請求の範囲】
【請求項１】
扉に固定される本体と、頭部が第一軸により本体に回動可能に接続されるハンドルと、ハンドルを本体に対して起伏することにより解錠状態と鎖錠状態が切り替えられるフックを備えた扉鎖錠装置であって、
正面視において、第一軸が本体により覆われている扉鎖錠装置。
【請求項２】
本体の正面から背面に連なる開口部を備え、
前記開口部より上方で第一軸が本体により覆われている請求項１に記載の扉鎖錠装置。
【請求項３】
ハンドルは、正面側に位置する取手部と、取手部の背面に延びるアーム部とを備え、
前記アーム部に、本体との衝突を回避するための凹部を備えた請求項１又は２に記載の扉鎖錠装置。
【請求項４】
パッキンの枠状の部位が取手部と本体との間に位置する請求項３に記載の扉鎖錠装置。
【請求項５】
第一軸と本体との間にパッキンが位置する請求項３に記載の扉鎖錠装置。
【発明の詳細な説明】
【技術分野】
【０００１】
本発明は、電気電子機器収納用キャビネット等の扉の鎖錠に用いられる扉鎖錠装置に関するものである。
【背景技術】
【０００２】
本体に回動可能に取り付けられたハンドルにリンク機構を接続し、ハンドルの起伏操作により操作される扉鎖錠装置が知られている。このような扉鎖錠装置における防水性能などをもたらすために、特許文献１に記載されているようなパッキンを鎖錠装置に備えることは知られている。
【先行技術文献】
【特許文献】
【０００３】
【特許文献１】特開２００５−００２６９７号公報
【０００４】
しかしながら、特許文献１に記載の構造では、ハンドルの回動中心となる軸は、正面視において、ハンドル本体に設けられた開口に臨むような位置にある。このため、パッキンの構造を簡素化することが困難となり、特に、ハンドルと本体とを回動可能に接続している部分の防水性を向上させることは困難であった。
【発明の概要】
【発明が解決しようとする課題】
【０００５】
本件の発明者は、この点について鋭意検討することにより、解決を試みた。本発明の課題は、ハンドルと本体とを回動可能に接続している部分における防水性を向上させることである。
【課題を解決するための手段】
【０００６】
上記課題を解決するため、扉に固定される本体と、頭部が第一軸により本体に回動可能に接続されるハンドルと、ハンドルを本体に対して起伏することにより解錠状態と鎖錠状態が切り替えられるフックを備えた扉鎖錠装置であって、正面視において、第一軸が本体により覆われている扉鎖錠装置とする。
【０００７】
本体の正面から背面に連なる開口部を備え、前記開口部より上方で第一軸が本体により覆われている構成とすることが好ましい。
【０００８】
ハンドルは、正面側に位置する取手部と、取手部の背面に延びるアーム部とを備え、前記アーム部に、本体との衝突を回避するための凹部を備えた構成とすることが好ましい。
【０００９】
パッキンの枠状の部位が取手部と本体との間に位置する構成とすることが好ましい。
【００１０】
第一軸と本体との間にパッキンが位置する構成とすることが好ましい。
【発明の効果】
【００１１】
本発明では、ハンドルと本体とを回動可能に接続している部分の防水性を向上させることが可能となる。
【図面の簡単な説明】
【００１２】
【図１】扉鎖錠装置を備えた電気電子機器収納用箱の斜視図である。
【図２】扉が開いた状態における電気電子機器収納用箱の斜視図である。
【図３】正面側から見た扉鎖錠装置の斜視図である。ただし、取手部が開いた状態である。
【図４】背面側から見た扉鎖錠装置の斜視図である。ただし、取手部が開いた状態である。
【図５】正面側から見た扉鎖錠装置の斜視図である。ただし、図３の状態よりやや取手部が閉じた状態である。
【図６】背面側から見た扉鎖錠装置の斜視図である。ただし、図４の状態よりやや取手部が閉じた状態である。
【図７】正面側から見た扉鎖錠装置の斜視図である。ただし、取手部が閉じた状態である。
【図８】背面側から見た扉鎖錠装置の斜視図である。ただし、取手部が閉じた状態である。
【図９】扉鎖錠装置の側断面図である。ただし、取手部が開いた状態である。
【図１０】扉鎖錠装置の側断面図である。ただし、図９の状態よりやや取手部が閉じた状態である。
【図１１】扉鎖錠装置の側断面図である。ただし、取手部が閉じた状態である。
【図１２】正面側から見たパッキンの斜視図である。
【図１３】背面側から見たパッキンの斜視図である。
【図１４】本体にパッキンを取り付けた状態における、正面側から見た斜視図である。
【図１５】本体にパッキンを取り付けた状態における、背面側から見た斜視図である。
【図１６】本体にパッキンを取り付けた状態における、背面図である。
【発明を実施するための形態】
【００１３】
以下に発明を実施するための形態を示す。本実施形態の扉鎖錠装置１は、図１に示すように、箱本体５と扉６を備える電気電子機器収納用箱９に組み込まれるものである。この扉鎖錠装置１は箱本体５の開口を覆う扉６の正面に取手部１５が位置するように取り付けられている。また、図２に示すように、扉６の背面側には、機構部の構成要素であるフック１３が上下方向に並ぶように位置している。
【００１４】
本実施形態の扉鎖錠装置１は、扉６に固定される本体１１と、頭部が第一軸１４により本体１１に回動可能に接続されるハンドル１２と、ハンドル１２を本体１１に対して起伏することにより解錠状態と鎖錠状態が切り替えられるフック１３を備えた扉鎖錠装置１である。また、この扉鎖錠装置１は、正面視において、第一軸１４が、本体１１により覆われている。したがって、ハンドル１２と本体１１とを回動可能に接続している第一軸１４周りの防水性を向上させることが可能となる。
【００１５】
本実施形態の扉鎖錠装置１は、ハンドル１２が備えられているが、ハンドル１２には本体１１の正面側に位置する、板状の取手部１５が設けられている。また、ハンドル１２には取手部１５の背面側にアーム部１６が突設されている。このアーム部１６は第一軸１４に接続されており、第一軸１４を中心とした回動が可能である。また、アーム部１６には、フック１３を備えたリンク機構が接続されており、ハンドル１２を本体１１に対して起伏させて、フック１３の位置を変更することで、解錠状態と鎖錠状態を切り替えることができる。なお、図３及び図４に示した状態が解錠状態であり、この状態から取手部１５を背面側に押し込むと、図５及び図６に示した状態を経て、図７及び図８に示したような鎖錠状態となる。なお図９乃至図１１では、この変化の様子を側断面図として表している。
【００１６】
本体１１には、正面から背面に連なる開口部１７を備えている。アーム部１６は、この開口部１７を通って本体１１の正面側から背面側に延びるように位置している。アーム部１６と本体１１とを接続する第一軸１４は、開口部１７より上方で本体１１により覆われている。このため、開口部１７が第一軸１４より下方に位置することになり、水が開口部１７から侵入して第一軸１４に到達することを抑制できる。
【００１７】
ところで、本実施形態のハンドル１２は、正面側に位置する取手部１５と、取手部１５の背面に延びるアーム部１６とを備えたものであり、このアーム部１６と本体１１が第一軸１４により回動可能に接続されている。また、第一軸１４が、本体１１により覆われている構造である。したがって、アーム部１６は、本体１１との衝突を回避するための凹部１８を備えた構造としている。より詳しくは、アーム部１６における第一軸１４が設けられている箇所と取手部１５が接続されている箇所との間に凹部１８を設けた構造である。図９に示すような解錠状態において、この凹部１８には本体１１の一部が侵入可能となっている。このような構造とすることで、ハンドル１２の強度の確保と防水性能の向上を両立させることが可能となる。
【００１８】
本実施形態の開口部１７にはパッキン７が取り付けられている。このパッキン７は本体１１と取手部１５に挟まれる部位が枠状となっているが、このような形態とすれば、単純な形状の止水部となり的確に止水できる。したがって、ハンドル１２の正面側からの水の浸入を抑制することができる。
【００１９】
従来例は、軸に対して垂直に本体とハンドルとの間にパッキンを設けている構成である。このような構成であると、ハンドルの開閉動作時にパッキンがめくれやすく、動作が固くなるものである。しかし、本実施形態のように本体１１と取手部１５との間にパッキン７の枠状の部位７１が位置し、ハンドル１２が閉じたときに本体１１と取手部１５でパッキン７を挟み込む構造とすれば、ハンドル１２の動作が固くならず、パッキン７もめくれることがなく、防水性能も向上する。
【００２０】
本実施形態のパッキン７は、図１２及び図１３に示すように枠状の部位７１から上部には、先端に突出部７３を備える上板部７２が延びている。この突出部７３が本体１１に引っかかる。また、枠状の部位７１の下部には、係止孔７５を備える下板部７４が延びるとともに、枠状の部位７１の左右には、係合突起７６と左右板部７７が延びている。枠状の部位７１の下部には、開口部１７に係合される係合部７８が、鍔付きのコ字状に設けられている。図１４乃至図１６に示すことから理解されるように、これらの下板部７４と左右板部７７の係合突起７６と係合部７８が本体１１の被係合部７８に係合し、パッキン７のめくれを防いでいる。なお、下板部７４は扉鎖錠装置１の正面側に位置し、上板部７２は扉鎖錠装置１の背面側に位置している。
【００２１】
図１１に示すことから理解されるように、本実施形態においては、第一軸１４と本体１１との間にパッキン７が位置するように構成されている。より詳しくは、本体１１における第一軸１４を覆っている部位の先端と、ハンドル１２の先端部との間にパッキン７が位置しており、第一軸１４を覆っている部位の先端と、ハンドル１２の先端部との間に位置する上板部７２は、ハンドル１２が閉状態、開状態、開閉途中のいずれの状態のときにも、本体１１とハンドル１２と常に当接するように構成しており、パッキン７のめくれを防止する部位として作用する。なお、本実施形態の扉鎖錠装置１は、リンクの作用線をリンク内の軸が越えたら締め付け側に力が掛かりリンクが外れない方向に力が加わる構成を備えている。
【００２２】
以上、一つの実施形態を中心に説明してきたが、本発明は上記実施形態に限定されることはなく、各種の態様とすることが可能である。例えば、パッキンはハンドル側に取り付けられていてもよい。
【００２３】
実施形態では上下２つのリンク構造を備え一対のフックを備えるものであるが、リンク機構及びフックを各々１つとしてもよい。
【符号の説明】
【００２４】
１  扉鎖錠装置
６  扉
１１  本体
１２  ハンドル
１３  フック
１４  第一軸
１５  取手部
１６  アーム部
１７  開口部
１８  凹部
７１  枠状の部位
【図１】
2018159173.tif 000003
【図２】
2018159173.tif 000004
【図３】
2018159173.tif 000005
【図４】
2018159173.tif 000006
【図５】
2018159173.tif 000007
【図６】
2018159173.tif 000008
【図７】
2018159173.tif 000009
【図８】
2018159173.tif 000010
【図９】
2018159173.tif 000011
【図１０】
2018159173.tif 000012
【図１１】
2018159173.tif 000013
【図１２】
2018159173.tif 000014
【図１３】
2018159173.tif 000015
【図１４】
2018159173.tif 000016
【図１５】
2018159173.tif 000017
【図１６】
2018159173.tif 000018